(57)【要約】【課題】扉の運動を、回転運動として取り出し、この回転運動により絵模様を著した円盤を回し、またはロボット様動物（人形）を踊らせたりする。【解決手段】引違い扉１１の端から条体１２が延長され、途中その条体１２は、回転可能なシーブ１３の外周面に接し、その端に錘１４が吊るされている。上記シーブ１３の回転軸１５には、絵模様や図柄を著した円盤１６が取り付けられ、扉１１の開け閉めによって円盤１６が回転する。なお、図示しないが、円盤１６が回転するとき、音声合成回路や擬音発生装置など公知の手段を付加することもできる。また、上記シーブ１３の回転軸１５を図示しない公知の自在継ぎ手やフレキシブルシャフトを介してロボット様動物（人形）の駆動軸に接続することもできる。【選択図】　図１
2004135917.tif 000002
【特許請求の範囲】
【請求項１】
開閉する扉から条体を延長し、この条体の端に錘を吊るし、途中回転可能に支承されたシーブに上記条体を接触させ、または周回させて、扉の運動を回転運動として取り出し、取り出された回転運動により、玩具を動かせるようにした扉に連動する玩具。
【請求項２】
開閉する扉の移動面に、回転ローラーを接触させて扉の運動を回転運動として取り出し、取り出された回転運動により、玩具を動かせるようにした扉に連動する玩具。
【請求項３】
上記シーブまたは回転ローラーの回転軸に絵模様または図柄を著した円盤を取付けた請求項１または２に記載の扉に連動する玩具。
【請求項４】
上記シーブまたは回転ローラーの回転軸を、ロボット様人形の駆動軸に接続してなる請求項１または２に記載の扉に連動する玩具。
【請求項５】
上記シーブまたは回転ローラーの回転軸にシンクロモーターを取付け、該シンクロモーターの出力によりロボット様人形を動かせるようにした請求項１乃至３のいずれかに記載の扉に連動する玩具。
【発明の詳細な説明】
【０００１】
【発明の属する技術分野】
この発明は扉の運動により玩具を動かせるようにした扉と連動する玩具に関する。
【０００２】
【従来の技術】
引違い扉にしても開き扉にしても、その開閉のときに運動が発生する。この運動を利用して日常生活を楽しく潤いのあるものにしたいと考えられるが、現在のところ、そのような提案は見当たらない。
【０００３】
【発明が解決しようとする課題】
この発明は上記望みを叶えるもので、引違い扉や開き扉の運動を、回転運動として取り出し、この取り出された運動により、絵模様や図柄を著した回転円盤を回転させたり、ロボット様動物（人形）を踊らせたりする、扉に連動する玩具を提供することを課題とする。
【０００４】
【課題を解決するための手段】
上記課題を解決するためにこの発明は、　開閉する扉から条体を延長し、この条体の端に錘を吊るし、途中回転可能に支承されたシーブに上記条体を接触させ、または周回させて、扉の運動を回転運動として取り出し、取り出された回転運動により、玩具を動かすように（請求項１）したもの。開閉する扉の移動面に、回転ローラーを接触させて扉の運動を回転運動として取り出し、取り出された回転運動により、玩具を動かすようにした（請求項２）もの。上記シーブまたは回転ローラーの回転軸に絵模様または図柄を著した円盤を取付けた（請求項３）もの。上記シーブまたは回転ローラーの回転軸を、ロボット様動物（人形）の駆動軸に接続した（請求項４）もの。上記シーブまたは回転ローラーの回転軸にシンクロモーターを取付け、該シンクロモーターの出力によりロボット様動物（人形）を動かすようにした（請求項５）ものである。
【０００５】
上記の如く構成したこの発明によれば、扉を開閉するごとに絵模様や図柄を著した円盤が回転したり、ロボット様の動物（人形）が動き、擬音を発するようにするならば楽しく、潤いある生活、とりわけ子供を喜ばすものとなる。
【０００６】
なお、この発明において「引違い扉」および「開き扉」建築物の出入口、窓等に設けられた全てのものを対象とする。
【０００７】
【発明の実施の形態】
次に、この発明の実施形態について説明する。図１はこの発明の第一実施形態で引違い扉１１の端から条体１２（紐、ワイヤーなど）が延長され、途中その条体１２は回転可能なシーブ１３の外周面に１／４周沿い、その端に錘１４が吊るされている。
【０００８】
上記シーブ１３の回転軸１５には、絵模様や図柄を著した円盤１６が取り付けられ、扉１１の開け閉めによって円盤１６が回転する。なお、図示しないが、円盤１６が回転するとき、音声合成回路や擬音発生装置など公知の手段を付加することもできる。なお、１７は戸袋である。
【０００９】
また、上記シーブ１３の回転軸１５を図示しない公知の自在継ぎ手やフレキシブルシャフトを介して図２に示すロボット様動物（人形）１８の駆動軸に接続し、上記と同様擬音を発するようにするならば一層楽しいものとなり、子供が喜ぶこととなる。
【００１０】
図３は、第二実施形態と第三実施形態を同時に示すもので、左側は、引違い扉１１の戸袋がない場合、引違い扉１１の動きを回転運動として取り出す形態を示す。この場合戸袋がないので上側の敷居１９のところに引違い扉１１と共に動く移動片２０を取付け、これから条体１２を延長し、途中回転可能なシーブ１３を経て端に錘１４を吊るしたものである。
【００１１】
右側のものは、上側の敷居１９の一部に切り込み２１を設け、この切り込み２１を通して、トーションスプリング２２で付勢されたアーム２３に回転可能に支持されたゴムローラー２４が、引違い扉１１の上面に接している。
【００１２】
従って、引違い扉１１が開閉されると、ゴムローラー２４が回転して引違い扉１１の動きが回転運動として取り出され、ゴムローラー２４の回転軸２５に上記と同様の円盤やロボット様動物（人形）をとりつけ、あるいは、図５に示すシンクロモーター２６を取り付けて上記と同様にすることができる。
【００１３】
図４は、第四実施形態で開き扉３１の例を示す。開き扉３１の動作端から条体１２を延長し、途中ガイドリング３２を経て回転可能に支承されたシーブ１３に接触し、前記説明と同様図示しない錘が吊るされている他は、上記各実施形態と同様であるから説明を省略する。
【００１４】
図５は、シーブ１３の回転軸１５に取り付けられたシンクロモーター２６を示し２７はリード線である。
【００１５】
【発明の効果】
以上説明したようにこの発明によれば、扉を開閉するごとに絵模様や図柄を著した円盤が回転したり、ロボット様の動物（人形）が動き、擬音を発するので楽しく、潤いある生活をいとなむことができ、とりわけ子供達を喜ばせることができる。
【図面の簡単な説明】
【図１】第一実施形態の（ａ）正面図、（ｂ）縦断面図
【図２】ロボット様動物の斜視図
【図３】第二、第三実施形態の説明図
【図４】第四実施形態の説明図
【図５】シンクロモーターの（ａ）正面図、（ｂ）側面図
【符号の説明】
１１　引違い扉
１２　条体
１３　シーブ
１４　錘
１５　回転軸
１６　円盤
１７　戸袋
１８　ロボット様動物（人形）
１９　駆動軸（ロボット様動物（人形）の）
２０　移動片
２１　切り込み
２２　トーションスプリング
２３　アーム
２４　ゴムローラー
２５　回転軸（ゴムローラーの）
２６　シンクロモーター
２７　リード線
【図１】
2004135917.tif 000003
【図２】
2004135917.tif 000004
【図３】
2004135917.tif 000005
【図４】
2004135917.tif 000006
【図５】
2004135917.tif 000007